【手続補正書】
【提出日】平成29年7月19日(2017.7.19)
【手続補正１】
【補正対象書類名】特許請求の範囲
【補正対象項目名】全文
【補正方法】変更
【補正の内容】
【特許請求の範囲】
【請求項１】
アクセスポイントによって実行される、ワイヤレス通信のための方法であって、
ユーザ機器（ＵＥ）へ無認可スペクトルで、送信要求（ＲＴＳ：request to send）メッセージを送信することと、ここにおいて、前記無認可スペクトルへのアクセスは、競合ベースプロトコルの使用が必要になる、
前記ＵＥからグループハイブリッド自動再送要求（ＨＡＲＱ）フィードバックメッセージを受信するために、送信期間のアップリンク部分を予約する送信可（ＣＴＳ：clear to send）メッセージを、前記ＵＥから前記無認可スペクトルで受信することと、
前記ユーザ機器（ＵＥ）へ前記無認可スペクトルで、前記送信期間中にデータフレームの１つまたは複数のデータサブフレームのセットを送信することと、
前記ＵＥから前記無認可スペクトルで、前記送信期間中に、１つまたは複数のデータサブフレームの前記セット中の前記データサブフレームの各々のための前記グループＨＡＲＱフィードバックメッセージを受信することと、
を備える方法。
【請求項２】
前記グループＨＡＲＱフィードバックメッセージは、周期的にまたはトリガに応答してのいずれかで受信される、請求項１に記載の方法。
【請求項３】
前記グループＨＡＲＱフィードバックメッセージはビットマップを備え、前記ビットマップは、前記ビットマップ中の位置に基づいて、前記グループＨＡＲＱフィードバックメッセージ中で前記ＵＥによって確認応答されている前記複数のデータサブフレームの各々のプロセス識別子を示す、請求項１に記載の方法。
【請求項４】
前記複数のデータサブフレームのための前記グループＨＡＲＱフィードバックメッセージを受信することは、前記送信期間のダウンリンク部分の後に前記グループＨＡＲＱフィードバックメッセージを受信することを備える、請求項１に記載の方法。
【請求項５】
前記無認可スペクトルの利用可能性を決定するためにクリアチャネルアセスメント（ＣＣＡ）を実行することと、
前記無認可スペクトルが利用可能であるという決定が行われると、前記送信期間中に前記無認可スペクトルにアクセスすることと、
をさらに備える、請求項１に記載の方法。
【請求項６】
前記無認可スペクトルが送信のために利用可能であるとき、送信可（ＣＴＳ）信号を送信すること
をさらに備える、請求項１に記載の方法。
【請求項７】
ワイヤレス通信のためのアクセスポイント装置であって、
ユーザ機器（ＵＥ）へ無認可スペクトルで、送信要求（ＲＴＳ：request to send）メッセージを送信するための手段と、ここにおいて、前記無認可スペクトルへのアクセスは、競合ベースプロトコルの使用が必要になる、
前記ＵＥからグループハイブリッド自動再送要求（ＨＡＲＱ）フィードバックメッセージを受信するために、送信期間のアップリンク部分を予約する送信可（ＣＴＳ：clear to send）メッセージを、前記ＵＥから前記無認可スペクトルで受信するための手段と、
前記ユーザ機器（ＵＥ）へ前記無認可スペクトルで、前記送信期間中にデータフレームの１つまたは複数のデータサブフレームのセットを送信するための手段と、
前記ＵＥから前記無認可スペクトルで、前記送信期間中に、１つまたは複数のデータサブフレームの前記セット中の前記データサブフレームの各々のための前記グループＨＡＲＱフィードバックメッセージを受信するための手段と、
を備えるアクセスポイント装置。
【請求項８】
ユーザ機器（ＵＥ）によって実行されるワイヤレス通信のための方法であって、
無認可スペクトルで、送信要求（ＲＴＳ：Request to Send）メッセージを受信することと、ここにおいて、前記無認可スペクトルへのアクセスは、競合ベースプロトコルの使用が必要になる、
グループハイブリッド自動再送要求（ＨＡＲＱ）フィードバックメッセージを送信するために、送信期間のアップリンク部分を予約する送信可（ＣＴＳ：Clear to Send）メッセージを、前記無認可スペクトルで送信することと、
前記無認可スペクトルで、前記送信期間中にデータフレームの１つまたは複数のデータサブフレームのセットを受信することと、
前記無認可スペクトルで、前記送信期間中に、１つまたは複数のデータサブフレームの前記セット中の前記データサブフレームの各々のための前記グループＨＡＲＱフィードバックメッセージを送信することと、
を備える方法。
【請求項９】
受信の後にどのデータサブフレームが正しく復号されたかを識別すること、をさらに備え、前記グループＨＡＲＱフィードバックメッセージは、前記無認可スペクトルで、周期的にまたはトリガに応答してのいずれかで送信される、請求項８に記載の方法。
【請求項１０】
受信の後にどのデータサブフレームが正しく復号されたかを識別すること、をさらに備え、
前記グループＨＡＲＱフィードバックメッセージはビットマップを備え、前記ビットマップは、前記ビットマップ中の位置に基づいて、正しく復号された前記複数のデータサブフレームの各々のプロセス識別子を示す、請求項８に記載の方法。
【請求項１１】
前記複数のデータサブフレームのための前記グループＨＡＲＱフィードバックメッセージを送信することは、前記送信期間のダウンリンク部分の後に前記グループＨＡＲＱフィードバックメッセージを送信することを備える、請求項８に記載の方法。
【請求項１２】
前記送信期間の後に、前記無認可スペクトルでアップリンク許可を受信すること、をさらに備え、前記グループＨＡＲＱフィードバックメッセージは、前記アップリンク許可に応答して送信される、請求項８に記載の方法。
【請求項１３】
ワイヤレス通信のためのユーザ機器（ＵＥ）装置であって、
無認可スペクトルで、送信要求（ＲＴＳ：Request to Send）メッセージを受信するための手段と、ここにおいて、前記無認可スペクトルへのアクセスは、競合ベースプロトコルの使用が必要になる、
グループハイブリッド自動再送要求（ＨＡＲＱ）フィードバックメッセージを送信するために、送信期間のアップリンク部分を予約する送信可（ＣＴＳ：Clear to Send）メッセージを、前記無認可スペクトルで送信するための手段と、
前記無認可スペクトルで、前記送信期間中にデータフレームの１つまたは複数のデータサブフレームのセットを受信するための手段と、
前記無認可スペクトルで、前記送信期間中に、１つまたは複数のデータサブフレームの前記セット中の前記データサブフレームの各々のための前記グループＨＡＲＱフィードバックメッセージを送信するための手段と、
を備えるユーザ機器（ＵＥ）装置。
【請求項１４】
受信の後にどのデータサブフレームが正しく復号されたかを識別するための手段をさらに備え、前記グループＨＡＲＱフィードバックメッセージはビットマップを備え、前記ビットマップは、前記ビットマップ中の位置に基づいて、正しく復号された前記複数のデータサブフレームの各々のプロセス識別子を示す、
請求項１３に記載の装置。
【請求項１５】
請求項１−６または８−１２のうちの一項の方法のすべてのステップを実行するようにコンピュータ実行可能であるプログラム命令を備えるコンピュータプログラム。
【手続補正２】
【補正対象書類名】明細書
【補正対象項目名】０１９６
【補正方法】変更
【補正の内容】
【０１９６】
[0211]本開示のこれまでの説明は、当業者が本開示を作成または使用することを可能にするために提供される。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示される原理および新規の特徴に合致する最も広い範囲を与えられるべきである。
以下に本願の出願当初の特許請求の範囲に記載された発明を付記する。
［Ｃ１］
ワイヤレス通信のための方法であって、
ユーザ機器（ＵＥ）に無認可スペクトルで、送信期間中にデータフレームの１つまたは複数のデータサブフレームのセットを送信することと、
前記ＵＥから前記無認可スペクトルで、前記送信期間中に、１つまたは複数のデータサブフレームの前記セット中の前記データサブフレームのうちの少なくとも１つを含む複数のデータサブフレームのためのグループハイブリッド自動再送要求（ＨＡＲＱ）フィードバックメッセージを受信することと、
を備える方法。
［Ｃ２］
前記グループＨＡＲＱフィードバックメッセージは、前記ＵＥによって復号された前記複数のデータサブフレームの各々に対する確認応答を備え、前記グループＨＡＲＱフィードバックメッセージは、周期的にまたはトリガに応答してのいずれかで受信される、Ｃ１に記載の方法。
［Ｃ３］
前記グループＨＡＲＱフィードバックメッセージはビットマップを備え、前記ビットマップは、前記ビットマップ中の位置に基づいて、前記グループＨＡＲＱフィードバックメッセージ中で前記ＵＥによって確認応答されている前記複数のデータサブフレームの各々のプロセス識別子を示す、Ｃ１に記載の方法。
［Ｃ４］
前記複数のデータサブフレームのための前記グループＨＡＲＱフィードバックメッセージを受信することは、前記送信期間のダウンリンク部分の後に前記グループＨＡＲＱフィードバックメッセージを受信することを備える、Ｃ１に記載の方法。
［Ｃ５］
前記ＵＥに前記無認可スペクトルで、送信要求（Request to Send）メッセージを送信することと、
前記ＵＥから前記グループＨＡＲＱフィードバックメッセージを受信するために前記送信期間のアップリンク部分を予約するために、前記ＵＥから前記無認可スペクトルで送信可（Clear to Send）メッセージを受信することと、
をさらに備える、Ｃ１に記載の方法。
［Ｃ６］
前記グループＨＡＲＱフィードバックメッセージは、１つまたは複数のデータサブフレームの前記セットのサブセットについてのＨＡＲＱフィードバック情報を備え、前記方法は、
前記ＵＥから前記無認可スペクトルで、１つまたは複数のデータサブフレームの前記セットの残りのサブセットについてのＨＡＲＱフィードバック情報を備える次のグループＨＡＲＱフィードバックメッセージを受信すること、前記次のグループＨＡＲＱフィードバックメッセージは次の送信期間中に受信される、
をさらに備える、Ｃ１に記載の方法。
［Ｃ７］
前記無認可スペクトルの利用可能性を決定するためにクリアチャネルアセスメント（ＣＣＡ）を実行することと、
前記無認可スペクトルが利用可能であるという決定が行われると、前記送信期間中に前記無認可スペクトルにアクセスすることと、
をさらに備える、Ｃ１に記載の方法。
［Ｃ８］
前記無認可スペクトルが送信のために利用可能であるとき、送信可（ＣＴＳ）信号を送信すること
をさらに備える、Ｃ１に記載の方法。
［Ｃ９］
ワイヤレス通信のための装置であって、
ユーザ機器（ＵＥ）に無認可スペクトルで、送信期間中にデータフレームの１つまたは複数のデータサブフレームのセットを送信するための手段と、
前記ＵＥから前記無認可スペクトルで、前記送信期間中に、１つまたは複数のデータサブフレームの前記セット中の前記データサブフレームのうちの少なくとも１つを含む複数のデータサブフレームのためのグループハイブリッド自動再送要求（ＨＡＲＱ）フィードバックメッセージを受信するための手段と、
を備える装置。
［Ｃ１０］
前記グループＨＡＲＱフィードバックメッセージは、前記ＵＥによって復号された前記複数のデータサブフレームの各々に対する確認応答を備え、前記グループＨＡＲＱフィードバックメッセージは、周期的にまたはトリガに応答してのいずれかで受信される、Ｃ９に記載の装置。
［Ｃ１１］
前記グループＨＡＲＱフィードバックメッセージはビットマップを備え、前記ビットマップは、前記ビットマップ中の位置に基づいて、前記グループＨＡＲＱフィードバックメッセージ中で前記ＵＥによって確認応答されている前記複数のデータサブフレームの各々のプロセス識別子を示す、Ｃ９に記載の装置。
［Ｃ１２］
前記送信期間のダウンリンク部分の後に前記グループＨＡＲＱフィードバックメッセージを受信するための手段
をさらに備える、Ｃ９に記載の装置。
［Ｃ１３］
前記ＵＥに前記無認可スペクトルで、送信要求（Request to Send）メッセージを送信するための手段と、
前記ＵＥから前記グループＨＡＲＱフィードバックメッセージを受信するために前記送信期間のアップリンク部分を予約するために、前記ＵＥから無認可スペクトルで送信可（Clear to Send）メッセージを受信するための手段と、
をさらに備える、Ｃ９に記載の装置。
［Ｃ１４］
前記ＵＥから前記無認可スペクトルで、１つまたは複数のデータサブフレームの前記セットの残りのサブセットについてのＨＡＲＱフィードバック情報を備える次のグループＨＡＲＱフィードバックメッセージを受信するための手段、前記次のグループＨＡＲＱフィードバックメッセージは次の送信期間中に受信される、
をさらに備える、Ｃ９に記載の装置。
［Ｃ１５］
前記無認可スペクトルの利用可能性を決定するためにクリアチャネルアセスメント（ＣＣＡ）を実行するための手段と、
前記無認可スペクトルが利用可能であるという決定が行われると、前記送信期間中に前記無認可スペクトルにアクセスするための手段と、
をさらに備える、Ｃ９に記載の装置。
［Ｃ１６］
前記無認可スペクトルが送信のために利用可能であるとき、送信可（ＣＴＳ）信号を送信するための手段
をさらに備える、Ｃ９に記載の装置。
［Ｃ１７］
ワイヤレス通信のための方法であって、
無認可スペクトルで、送信期間中にデータフレームの１つまたは複数のデータサブフレームのセットを受信することと、
前記無認可スペクトルで、前記送信期間中に、１つまたは複数のデータサブフレームの前記セット中の前記データサブフレームのうちの少なくとも１つを含む複数のデータサブフレームのためのグループハイブリッド自動再送要求（ＨＡＲＱ）フィードバックメッセージを送信することと、
を備える方法。
［Ｃ１８］
受信の後にどのデータサブフレームが正しく復号されたかを識別すること、をさらに備え、
前記グループＨＡＲＱフィードバックメッセージは、正しく復号された前記複数のデータサブフレームの各々に対する確認応答を備え、ここにおいて、前記グループＨＡＲＱフィードバックメッセージは、前記無認可スペクトルで、周期的にまたはトリガに応答してのいずれかで送信される、Ｃ１７に記載の方法。
［Ｃ１９］
受信の後にどのデータサブフレームが正しく復号されたかを識別すること、をさらに備え、
前記グループＨＡＲＱフィードバックメッセージはビットマップを備え、前記ビットマップは、前記ビットマップ中の位置に基づいて、正しく復号された前記複数のデータサブフレームの各々のプロセス識別子を示す、Ｃ１７に記載の方法。
［Ｃ２０］
前記複数のデータサブフレームのための前記グループＨＡＲＱフィードバックメッセージを送信することは、前記送信期間のダウンリンク部分の後に前記グループＨＡＲＱフィードバックメッセージを送信することを備える、Ｃ１７に記載の方法。
［Ｃ２１］
前記無認可スペクトルで、送信要求（Request to Send）メッセージを受信することと、
前記グループＨＡＲＱフィードバックメッセージを送信するために前記送信期間のアップリンク部分を予約するために、前記無認可スペクトルで送信可（Clear to Send）メッセージを送信することと、
をさらに備える、Ｃ１７に記載の方法。
［Ｃ２２］
前記グループＨＡＲＱフィードバックメッセージは、１つまたは複数のデータサブフレームの前記セットのサブセットについてのＨＡＲＱフィードバック情報を備え、前記方法は、
前記無認可スペクトルで、１つまたは複数のデータサブフレームの前記セットの残りのサブセットについてのＨＡＲＱフィードバック情報を備える次のグループＨＡＲＱフィードバックメッセージを送信すること、前記次のグループＨＡＲＱフィードバックメッセージは次の送信期間中に送信される、
をさらに備える、Ｃ１７に記載の方法。
［Ｃ２３］
前記送信期間の後に、前記無認可スペクトルでアップリンク許可を受信すること、ここにおいて、前記グループＨＡＲＱフィードバックメッセージは、前記アップリンク許可に応答して送信される、をさらに備える、Ｃ１７に記載の方法。
［Ｃ２４］
ワイヤレス通信のための装置であって、
無認可スペクトルで、送信期間中にデータフレームの１つまたは複数のデータサブフレームのセットを受信するための手段と、
前記無認可スペクトルで、前記送信期間中に、１つまたは複数のデータサブフレームの前記セット中の前記データサブフレームのうちの少なくとも１つを含む複数のデータサブフレームのためのグループハイブリッド自動再送要求（ＨＡＲＱ）フィードバックメッセージを送信するための手段と、
を備える装置。
［Ｃ２５］
受信の後にどのデータサブフレームが正しく復号されたかを識別するための手段をさらに備え、前記グループＨＡＲＱフィードバックメッセージは、正しく復号された前記複数のデータサブフレームの各々に対する確認応答を備え、前記グループＨＡＲＱフィードバックメッセージは、前記無認可スペクトルで、周期的にまたはトリガに応答してのいずれかで送信される、
Ｃ２４に記載の装置。
［Ｃ２６］
受信の後にどのデータサブフレームが正しく復号されたかを識別するための手段をさらに備え、前記グループＨＡＲＱフィードバックメッセージはビットマップを備え、前記ビットマップは、前記ビットマップ中の位置に基づいて、正しく復号された前記複数のデータサブフレームの各々のプロセス識別子を示す、
Ｃ２４に記載の装置。
［Ｃ２７］
前記送信期間のダウンリンク部分の後に前記グループＨＡＲＱフィードバックメッセージを送信するための手段
をさらに備える、Ｃ２４に記載の装置。
［Ｃ２８］
前記無認可スペクトルで、送信要求（Request to Send）メッセージを受信するための手段と、
前記グループＨＡＲＱフィードバックメッセージを送信するために前記送信期間のアップリンク部分を予約するために、前記無認可スペクトルで送信可（Clear to Send）メッセージを送信するための手段と、
をさらに備える、Ｃ２４に記載の装置。
［Ｃ２９］
前記グループＨＡＲＱフィードバックメッセージは、１つまたは複数のデータサブフレームの前記セットのサブセットについてのＨＡＲＱフィードバック情報を備え、前記装置は、
前記無認可スペクトルで、１つまたは複数のデータサブフレームの前記セットの残りのサブセットについてのＨＡＲＱフィードバック情報を備える次のグループＨＡＲＱフィードバックメッセージを送信するための手段、をさらに備え、前記次のグループＨＡＲＱフィードバックメッセージは、次の送信期間中に送信される、
Ｃ２４に記載の装置。
［Ｃ３０］
前記送信期間の後に、前記無認可スペクトルでアップリンク許可を受信するための手段をさらに備え、前記グループＨＡＲＱフィードバックメッセージは、前記アップリンク許可に応答して送信される、
Ｃ２４に記載の装置。